(57)【要約】【課題】  乗心地性を低下させることなく、ロードノイズを低減した空気入りタイヤ及び空気入りタイヤ／リム組立体を提供する。【解決手段】  左右一対のビード部２ａ、２ｂにおけるリム４に対する締め付け力を、左右でそれぞれ異なるように形成した空気入りタイヤ１、及びこの空気入りタイヤ１をオフセットしたディスク５を有するホイール３に、締め付け力の小さいビード部２ｂがディスク５のオフセット側になるようにリム組みした空気入りタイヤ１とリム４との組立体。【選択図】  図１
2005262947.tif 000002
【特許請求の範囲】
【請求項１】
リムに対するディスクの連結位置がリム幅中心から片側にオフセットしたホイールにリム組みされる空気入りタイヤにおいて、
前記リムに対する左右のビード部の締め付け力を前記ディスクのオフセット側にリム組みされるビード部側が小さくなるようにした空気入りタイヤ。
【請求項２】
前記締め付け力の小さいビード部側のビードコアの総断面積を、他方のビードコアの総断面積より小さくした請求項１に記載の空気入りタイヤ。
【請求項３】
前記締め付け力の小さいビード部側のビードコアを複数本ワイヤの層巻き構造とし、他方のビードコアをワイヤの一本巻き構造とした請求項１に記載の空気入りタイヤ。
【請求項４】
前記締め付け力の小さいビード部側のビードコアの内径を、他方のビードコアの内径よりも大きくした請求項１に記載の空気入りタイヤ。
【請求項５】
前記締め付け力の小さいビード部側のビードコアを構成する素線の弾性率を、他方のビードコアを構成する素線の弾性率よりも小さくした請求項１に記載の空気入りタイヤ。
【請求項６】
請求項１〜５の何れかに記載の空気入りタイヤを、リムに対するディスクの連結位置がリム幅中心から片側にオフセットしたホイールにリム組みした空気入りタイヤ／ホイール組立体。
【発明の詳細な説明】
【技術分野】
【０００１】
本発明は、空気入りタイヤ及び空気入りタイヤ／ホイール組立体に関し、さらに詳しくは、乗心地性を低下させることなく、ロードノイズを低減した空気入りタイヤ及び空気入りタイヤ／ホイール組立体に関する。
【背景技術】
【０００２】
近年、車両の静粛化が強く求められるようになり、タイヤに発生する振動が車軸を経由して車室内で共振することにより生ずる車内騒音（ロードノイズ）に対する低減要求が厳しくなってきている。
【０００３】
従来、上記するロードノイズの低減対策として、タイヤの振動特性を変える必要があるとの考え方に基づいて、ビード周りの剛性を変えることにより振動特性を変化させる手法が多く提案されている（例えば、特許文献１参照）。しかしながら、これらの手法では、ビード周りの剛性を増加させていることから、乗心地性能を悪化させるという問題があった。
【特許文献１】特開２０００−１８５５１５号公報
【発明の開示】
【発明が解決しようとする課題】
【０００４】
本発明の目的は、上述した従来の問題点を解消するもので、乗心地性を低下させることなく、ロードノイズを低減した空気入りタイヤ及び空気入りタイヤ／ホイール組立体を提供することにある。
【課題を解決するための手段】
【０００５】
上記目的を達成するための本発明の空気入りタイヤは、リムに対するディスクの連結位置がリム幅中心から片側にオフセットしたホイールにリム組みされる空気入りタイヤにおいて、前記リムに対する左右のビード部の締め付け力を前記ディスクのオフセット側にリム組みされるビード部側が小さくなるようにしたことを特徴とする。
【０００６】
また、本発明の空気入りタイヤ／ホイール組立体は、上記の空気入りタイヤを、リムに対するディスクの連結位置がリム幅中心から片側にオフセットしたホイールにリム組みしたことを特徴とするものである。
【発明の効果】
【０００７】
本発明の空気入りタイヤは、左右一対のビード部のリムに対する締め付け力を互いに異ならせ、これをリムに対するディスクの連結位置がオフセットしたホイールに対して、締め付け力の小さいビード部側がディスクのオフセット側になるようにリム組みしたので、路面から入力された振動のビード部に対する伝達率が、リムシートからディスクまでの距離が短い側で小さくし、長い側で大きくなるようにすることにより、ディスクを経由して車体に伝達される振動の伝達率を総合的に低下させ、ロードノイズを低減することができる。しかも、タイヤの構造には変更を加えていないため乗心地性等の運動性能を低下させることがない。
【発明を実施するための最良の形態】
【０００８】
以下、本発明の構成について添付の図面を参照しながら詳細に説明する。
【０００９】
図１は本発明の実施形態からなる空気入りタイヤとリムとの組立体の一例を示す一部断面図である。
【００１０】
空気入りタイヤ１は左右一対のビード部２ａ、２ｂを有し、これらビード部２ａ、２ｂがそれぞれホイール３におけるリム４の左右のリムシート４ａ、４ｂ上に嵌合されている。ホイール３におけるリム４には、ディスク５の連結位置がリム４の中心線Ｙに対してオフセットになるように取付けられている。
【００１１】
一対のビード部２ａ、２ｂは、リム４に対する締め付け力が、左右でそれぞれ異なるように構成されている。そして、締め付け力の小さい方のビード部２ｂがディスク５のオフセット側（図中右側）になるようにリム４に嵌合されて、本発明の空気入りタイヤ１とリム４との組立体が構成されている。
【００１２】
このように構成することにより、路面から入力された振動のビード部２ａ、２ｂに対する伝達率が、リムシート４ａ、４ｂからディスク５までの距離が短いオフセット側（ビード部２ｂ側）で小さくし、長い側（ビード部２ａ側）で大きくなるようにしているため、この振動がリム４との締め付け力の差により、ディスク５を経由して車体に伝達される振動の伝達率を総合的に低下させ、ロードノイズを低減することができる。
【００１３】
本発明の空気入りタイヤ１において、左右一対のビード部２ａ、２ｂのリム４に対する締め付け力を異ならせる手段としては、ビード部２ａ、２ｂのそれぞれに埋設されるビードコア６ａ、６ｂの構成を互いに異ならせるとよい。ビードコア６ａ、６ｂの構成を互いに異ならせる方法は特に限定されないが、例えば以下に示すような四つの実施形態を例示することができる。
【００１４】
第一の実施形態は、ビードコア６ａ、６ｂを構成する素線の材料を共通にして、ビードコア６ａの総断面積をビードコア６ｂの総断面積に比して大きくする。これにより、ビードコア６ａの引張り強さがビードコア６ｂに比して大きくなるため、ビード部２ａのリムに対する締め付け力がビード部２ｂの締め付け力に比して大きくなる。ここで、ビードコア６ａ、６ｂを構成する素線の素線径及び素線数は、ビードコア６ａの引張り強さがビードコア６ｂに比して大きくなることを前提として特に限定されるものではない。
【００１５】
第二の実施形態は、ビードコア６ａ、６ｂを構成する素線の材料、素線径及び素線数をそれぞれ共通にしてビードコアの巻き構造を左右でそれぞれ異ならせる。すなわち、ビードコア６ａの巻き構造をワイヤの一本巻き構造とし、ビードコア６ｂの巻き構造を複数本ワイヤの層巻き構造（通称、グロメット構造という）にする。これにより、ビードコア６ａの引張り強さがビードコア６ｂに比して大きくなるため、ビード部２ａのリムに対する締め付け力がビード部２ｂの締め付け力に比して大きくなる。
【００１６】
第三の実施形態は、ビードコア６ａ、６ｂを構成する素線の材料、素線径及び巻き構造を共通にしてビードコアの内径を左右でそれぞれ異ならせる。すなわち、ビードコア６ａの内径をビードコア６ｂの内径に比して小さくする。これにより、ビードコア６ａのリム４に対する締め付け力がビードコア６ｂの締め付け力に比して大きくなる。
【００１７】
第四の実施形態は、ビードコア６ａ、６ｂの素線の巻き構造を共通にしてビードコアを構成する素線の材料を変えることにより、素線の弾性率を左右でそれぞれ異ならせる。すなわち、ビードコア６ａの素線の弾性率をビードコア６ｂの素線の弾性率に比して大きくする。これにより、ビードコア６ａの引張り強さがビードコア６ｂに比して大きくなるため、ビード部２ａのリムに対する締め付け力がビード部２ｂの締め付け力に比して大きくなる。
【００１８】
ビードコア６ａ、６ｂの実施形態は、上述する四つの実施形態をそれぞれ単独に実施するほか、それぞれの実施形態を任意に組み合わせて実施することができる。また、左右のビード部２ａ、２ｂにおけるビードコア６ａ、６ｂの内径側のゴム厚を左右で異ならせることにより初期の目的を達成することもできる。
【００１９】
上述するように、本発明の空気入りタイヤ１とリム４との組立体は、空気入りタイヤ１をリム４に対する締め付け力の小さい方のビード部２ｂがディスク５のオフセット側になるようにリム組みしたので、振動の車体への伝達率を総合的に低下させ、ロードノイズを低減することができる。また、空気入りタイヤ１には、左右一対のビード部２ａ、２ｂのリム４に対する締め付け力を変化させることを除いて、タイヤの構造に特別の変更を加えていないため乗心地性等の運動性能を低下させることがない。
【実施例】
【００２０】
タイヤサイズを２０５／５５Ｒ１６と共通にして、図１のタイヤの左右のビード部２ａ、２ｂに埋設するビードコア６ａ、６ｂの構造、素線材料、素線径、断面における素線数及び内径をそれぞれ表１のように異ならせて５種類のタイヤを製作した。各種のタイヤを、それぞれ表１に掲げるように、オフセットしたディスクを有するリム（サイズ：１６×６．５）に装着し、２００ｋＰａの空気圧を充填して従来例及び実施例１〜４のタイヤ／リム組立体とした。
【００２１】
各種のタイヤ／リム組立体を、それぞれディスクのオフセット側が車両の外側になるように車両（２０００ｃｃのＦＦ車）に装着し、以下の方法により発生するロードノイズを測定すると共に、乗心地性の評価を行った。
［ロードノイズの測定］
車両を６０ｋｍ／ｈで試験路を走行させ、低周波数域から高周波数域に至るロードノイズ（ｄＢ）を測定した。その結果を従来例のタイヤ／リム組立体による測定値を基準とした増減値（ｄＢ）により表１に併記した。
［乗心地性の評価］
車両を６０ｋｍ／ｈでテストコースを走行させ、熟練したテストドライバーによる官能試験により乗心地性の評価を行い、その結果を従来例のタイヤ／リム組立体による結果を基準として表１に併記した。
【００２２】
【表１】
2005262947.tif 000003
表１の評価結果から、実施例１〜４のタイヤ／リム組立体は従来例のタイヤ／リム組立体に比して乗心地性を低下させることなくロードノイズを低減していることがわかる。
【図面の簡単な説明】
【００２３】
【図１】本発明の実施形態からなる空気入りタイヤとリムとの組立体の一例を示す一部断面図である。
【符号の説明】
【００２４】
１  空気入りタイヤ
２ａ、２ｂ  ビード部
３  ホイール
４  リム
４ａ、４ｂ  リムシート
５  ディスク
６ａ、６ｂ  ビードコア  
【図１】
2005262947.tif 000004